(57)【要約】【課題】装着・脱着が簡単で、ネジ金具を回さなくても耳たぶへ装着・脱着でき、耳たぶに対する接触も柔らかなイヤリングを提供する。【解決手段】Ｕ字形の支柱２の一方の端部及び他方の端部に、装飾体３及びケース５内に収納されたシリコンゴム体４をそれぞれ設け、上記シリコンゴム体４の挿通孔４ａに上記装飾体３の背後に近接・離間する押圧部材６の棒状部６ａを挿入し、該シリコンゴム体４と上記棒状部６ａとの摩擦力によって上記押圧部材６をその挿入位置で上記シリコンゴム体４に係止させる。【選択図】        図１
2004329442.tif 000002
【特許請求の範囲】
【請求項１】
Ｕ字形の支柱の一方の端部及び他方の端部に、装飾体及びシリコンゴム体をそれぞれ設け、
上記シリコンゴム体の挿通孔に上記装飾体の背後に近接・離間する押圧部材を挿入し、該シリコンゴム体と上記押圧部材との摩擦力によって上記押圧部材をその挿入位置で上記シリコンゴム体に係止させる、ことを特徴とするイヤリング。
【請求項２】
上記シリコンゴム体は上記支柱の端部に設けたケース内に収納されており、
該ケースは上記押圧部材の棒状部が通る挿通孔を有し、
該挿通孔と該棒状部との間に該棒状部が若干傾ける程度の大きさの隙間を有している、ことを特徴とする請求項１に記載のイヤリング。
【発明の詳細な説明】
【０００１】
【発明の属する技術分野】
本発明は、イヤリングの改良に関するものである。
【０００２】
【従来の技術】
従来のイヤリング９０は、図２に示すように、Ｕ字形の柱９１の前側端部に貴金属や宝石などによって構成された装飾体９２を取付け、該Ｕ字形の柱９１の後側端部にその内部に軸方向の雌ネジ部を有する円筒体９３を取付け、該円筒体９３の雌ネジ部に耳たぶを挟むためのネジ金具９４を前後方向に移動可能に螺合させていた（例えば、特許文献１参照）。
しかし、上記従来公知のイヤリング９０は、円筒体９３に螺合したネジ金具９４を回してネジ金具９４を前後方向に移動させることにより耳たぶへの装着・脱着を行っていたため、ネジ金具９４を回すのに時間が掛かり、装着・脱着に手間が掛かっていた。
【０００３】
【特許文献１】
特開平１０−３３２１９号公報
【０００４】
【発明が解決しようとする課題】
本発明の課題は、このような問題を解決し、装着・脱着が簡単なイヤリングを提供することにある。
本発明の他の課題は、ネジ金具を回さなくても耳たぶへ装着・脱着ができるイヤリングを提供することにある。
更に、本発明の他の課題は、耳たぶに対する接触が柔らかになるイヤリングを提供することにある。
【０００５】
【課題を解決するための手段】
上記課題を解決するための本発明のイヤリングは、Ｕ字形の支柱の一方の端部及び他方の端部に、装飾体及びシリコンゴム体をそれぞれ設け、上記シリコンゴム体の挿通孔に上記装飾体の背後に近接・離間する押圧部材を挿入し、該シリコンゴム体と上記押圧部材との摩擦力によって上記押圧部材をその挿入位置で上記シリコンゴム体に係止させることを特徴とするものである。
【０００６】
上記本発明のイヤリングの好ましい実施の形態においては、上記シリコンゴム体が上記支柱の端部に設けたケース内に収納されており、該ケースが上記押圧部材の棒状部が通る挿通孔を有し、該挿通孔と該棒状部との間に該棒状部が若干傾ける程度の大きさの隙間を有しているものにすることができる。
【０００７】
上記イヤリングは、Ｕ字形の支柱の一方の端部及び他方の端部に、装飾体及びシリコンゴム体をそれぞれ設け、上記シリコンゴム体の挿通孔に上記装飾体の背後に近接・離間する押圧部材を挿入し、該シリコンゴム体と上記押圧部材との摩擦力によって上記押圧部材をその挿入位置で上記シリコンゴム体に係止させているため、押圧部材を支柱の端部に設けたシリコンゴム体に対し押したり引いたりするだけで押圧部材を装飾体の背後に近接または離間させることができ、その近接または離間させた任意の挿入位置で押圧部材をシリコンゴム体に摩擦力によって係止させることができる。
【０００８】
したがって、装飾体と押圧部材との間に耳たぶを挟むようにして記押圧部材を装飾体の背後に近接させることによりイヤリングを耳たぶに装着することができ、押圧部材を装飾体の背後から離間させることによりイヤリングを耳たぶから脱着させることができる。
したがって、本発明のイヤリングは、押圧部材を支柱の端部に設けたシリコンゴム体に対し押したり引いたりするだけでイヤリングを耳たぶへ装着あるいは脱着できるから、従来のようにネジ金具を回す必要がなく、イヤリングの耳たぶへの装着・脱着が非常に簡単になる。
【０００９】
また、上記シリコンゴム体が上記支柱の端部に設けたケース内に収納されており、該ケースが上記押圧部材の棒状部が通る挿通孔を有し、該挿通孔と該棒状部との間に該棒状部が若干傾ける程度の大きさの隙間を有しているものにすると、シリコンゴム体の挿通孔に挿入されている押圧部材を該シリコンゴム体の弾性に抗して該挿通孔の軸方向に対し若干傾けることができるので、イヤリングを耳たぶへ装着する際の耳たぶに対する押圧部材の接触が柔らかになる。
【００１０】
【発明の実施の形態】
図１は、本発明に係るイヤリングの一実施例を示す一部断面側面図である。
該イヤリング１は、Ｕ字形の支柱２と、該支柱２の一方の端部に設けた装飾体３と、該支柱２の他方の端部に設けた円筒状のケース５内に収納されたシリコンゴム体４と、該シリコンゴム体４に移動可能に支持されると共に上記装飾体３の背後に近接・離間する押圧部材６とを有している。
【００１１】
上記シリコンゴム体４は、上記円筒状のケース５と同軸の軸方向に延びる挿通孔４ａを有し、上記押圧部材６は、上記シリコンゴム体４の挿通孔４ａに挿入される棒状部６ａと、該棒状部６ａの一端に設けた耳たぶへ押付けられて接触する接触部６ｂと、該棒状部６ａの他端に設けた把持部６ｃとを有している。
上記接触部６ｂは上記棒状部６ａにろう接等により一体的に固着され、上記把持部６ｃは上記棒状部６ａに螺合により着脱自在に固着されている。
【００１２】
上記ケース５は、その軸方向の一端及び他端に底部及び開口部を有する中空円筒状のケース本体５ａと、該開口部を覆う円板状のケース蓋体５ｂとを有し、該ケース本体５ａ内の空間に上記シリコンゴム体４が隙間が生じないようにきつめに収納され、該ケース本体５ａの底部及びケース蓋体５ｂには、上記シリコンゴム体４の挿通孔４ａと同軸になるように、上記押圧部材６の棒状部６ａが通る挿通孔１１，１２がそれぞれ設けられている。
上記挿通孔１１、１２と上記棒状部６ａとの間には隙間があり、該隙間の大きさは、上記シリコンゴム体４の挿通孔４ａに挿入されている押圧部材６をシリコンゴム体４の弾性に抗して該挿通孔４ａの軸方向に対し若干傾けることができる程度の大きさである。
【００１３】
上記ケース本体５ａは、その軸線方向が上記装飾体３に向くように、上記支柱２の他端部にろう接等の固着手段で一体的に固着されており、上記ケース蓋体５ｂは上記ケース本体５ａに螺合により着脱自在に固着されている。
上記イヤリング１を組み立てるには、ケース本体５ａ内の空間にシリコンゴム体４を収納してから、ケース本体５ａにケース蓋体５ｂを螺合し、その後、押圧部材６の把持部６ｃをはずした棒状部６ａをケース本体５ａの挿通孔１１、シリコンゴム体４の挿通孔４ａを通してケース蓋体５ｂの挿通孔１２から突出させ、該挿通孔１２から突出させた棒状部６ａに把持部６ｃを螺合してイヤリング１を組み立てる。
【００１４】
上記シリコンゴム体４の挿通孔４ａの直径は上記棒状部６ａの直径よりも小径にされており、該小径のシリコンゴム体４の挿通孔４ａにこれより大径の棒状部６ａを上記シリコンゴム体４の弾性に抗して挿入すると、上記シリコンゴム体４と上記押圧部材６の棒状部６ａとの間に大きな摩擦力が生じるため、該摩擦力によって上記押圧部材６をその挿入位置で上記シリコンゴム体４に係止させることができる。
【００１５】
そのため、上記押圧部材６を上記支柱２の端部に設けたケース５内に収納されたシリコンゴム体４に対し押したり引いたりするだけで、上記押圧部材６を上記装飾体３の背後に近接または離間させることができ、その近接または離間させた任意の挿入位置で上記押圧部材６を上記シリコンゴム体４に摩擦力によって係止させることができる。
【００１６】
そして、上記押圧部材６を上記装飾体３の背後に近接させると、上記装飾体３と上記押圧部材６との間に耳たぶを挟むことができ、その位置で上記押圧部材６が上記シリコンゴム体４に係止されるので、上記押圧部材６を上記ケース５内に収納されたシリコンゴム体４に対し押すだけで、イヤリングを耳たぶに装着させることができる。
上記シリコンゴム体４は上記支柱２の端部に設けたケース５内に収納されているので、実際の装着動作は、一方の手で上記支柱２を把持し、他方の手で上記押圧部材６の把持部６ｃを押すことによりイヤリングは耳たぶに装着される。
【００１７】
上記イヤリング１を耳たぶから脱着させるには、一方の手で上記支柱２を把持し、他方の手で上記押圧部材６の把持部６ｃを把持して引くことにより、上記押圧部材６を上記装飾体３の背後から離間させてイヤリングを耳たぶから脱着させる。
したがって、本発明のイヤリングは、押圧部材を支柱の端部に設けたシリコンゴム体に対し押したり引いたりするだけでイヤリングを耳たぶへ装着あるいは脱着できるから、従来のようにネジ金具を回す必要がなく、イヤリングの耳たぶへの装着・脱着が非常に簡単になる。
【００１８】
また、上記挿通孔１１、１２と上記棒状部６ａとの間には上述した隙間があるため、イヤリングを耳たぶへ装着する際に、図１の２点差線で示すように、上記押圧部材６をシリコンゴム体４の弾性に抗して上記シリコンゴム体４の挿通孔４ａの軸方向に対し若干傾けることができる。そのため、イヤリングを耳たぶへ装着する際の耳たぶに対する押圧部材６の接触部６ｂの接触が柔らかになる。
【００１９】
以上、本発明の実施の形態のイヤリングについて詳述したが、本発明は、上記実施の形態に限定されるものではなく、本発明の特許請求の範囲に記載されている発明の精神を逸脱しない範囲で、設計において種々の変更をすることができるものである。
例えば、上記実施例では、支柱２の他方の端部に円筒状のケース５を設けているが、該ケース５は必ずしも円筒状に限定される必要はなく、多角形状であっても良い。
また、上記実施例では、接触部６ｂが棒状部６ａにろう接等により一体的に固着され、把持部６ｃが棒状部６ａに螺合により着脱自在に固着されているが、接触部６ｂが記棒状部６ａに螺合により着脱自在に固着され、把持部６ｃが棒状部６ａにろう接等により一体的に固着されても良い。
また、棒状部６ａは丸棒の形状に限定される必要はなく、角棒の形状であっても良い。
【００２０】
【発明の効果】
以上に詳述した本発明によれば、装着・脱着が簡単で、ネジ金具を回さなくても耳たぶへ装着・脱着でき、耳たぶに対する接触も柔らかなイヤリングを提供することができる。
【図面の簡単な説明】
【図１】本発明に係るイヤリングの一実施例を示す一部断面側面図である。
【図２】従来のイヤリングを示す側面図である。
【符号の説明】
１      イヤリング
２      支柱
３      装飾体
４      シリコンゴム体
４ａ    シリコンゴム体の挿通孔
５      ケース
６      押圧部材
６ａ    棒状部
１１，１２  ケースの挿通孔
【図１】
2004329442.tif 000003
【図２】
2004329442.tif 000004